(57)【要約】【課題】着用することにより、着衣者の上半身及び下半身のそれぞれに装着される部分を有する安全帯をより簡単に装着することが可能な衣服を提供する。【解決手段】衣服本体１と安全帯部１０とを備える衣服であって、衣服本体１は、着衣者の上半身に着用される上側着用部２と、上側着用部２とは分離しており着衣者の下半身に着用される下側着用部５と、を有しており、安全帯部１０は、上側着用部２に取り付けられており上側着用部２が着用された際に着衣者の背部から腹部へ回り込むように着衣者の肩に掛けられる上側ベルト部１１と、下側着用部５に取り付けられており下側着用部５が着用された際に着衣者の大腿部を包む下側ベルト部１６と、着衣者が上側着用部２及び下側着用部５を着用した状態にあるときに上側ベルト部１１と下側ベルト部１６とを連結させるための連結部２０と、を有する。【選択図】図９
2019065416.tif 000002
【特許請求の範囲】
【請求項１】
着衣者が着用する衣服本体と、着衣者の墜落を防止するために前記衣服本体に取り付けられた安全帯部と、を備える衣服であって、
前記衣服本体は、着衣者の上半身に着用される上側着用部と、該上側着用部とは分離しており着衣者の下半身に着用される下側着用部と、を有し、
前記安全帯部は、
前記上側着用部に取り付けられ、前記上側着用部が着用された際に着衣者の背部から腹部へ回り込むように着衣者の肩に掛けられる上側ベルト部と、
前記下側着用部に取り付けられ、前記下側着用部が着用された際に着衣者の大腿部を包む下側ベルト部と、
着衣者が前記上側着用部及び前記下側着用部を着用した状態にあるときに前記上側ベルト部と前記下側ベルト部とを連結させるための連結部と、を有することを特徴とする衣服。
【請求項２】
前記連結部は、前記上側ベルト部から延出した延出部分と、該延出部分の先端部に設けられた係合部と、前記下側着用部に設けられた被係合部と、を有し、前記係合部が前記被係合部に係合することで前記上側ベルト部と前記下側ベルト部とを連結することを特徴とする請求項１に記載の衣服。
【請求項３】
前記上側着用部は、袖を有し、該袖に着衣者の腕を通すことで着衣者の上半身に着用され、
前記下側着用部は、股部を有し、該股部に着衣者の脚を通すことで着衣者の下半身に着用され、
前記上側ベルト部は、前記上側着用部の内側に取り付けられており、
前記下側ベルト部は、前記下側着用部の内側に取り付けられていることを特徴とする請求項１又は２に記載の衣服。
【請求項４】
前記安全帯部は、着衣者の墜落を防止するために設けられた掛留部が引っ掛けられる環状部を有し、
該環状部は、前記上側着用部の後見頃に取り付けられていることを特徴とする請求項３に記載の衣服。
【請求項５】
前記上側ベルト部は、一対設けられており、
前記安全帯部は、一対の前記上側ベルト部間を連絡する連絡ベルト部を有し、
該連絡ベルト部は、該連絡ベルト部が有する二つのベルト端部を連結するバックル部を備え、該バックル部による連結状態を解除することで前記二つのベルト端部が分離するように構成されていることを特徴とする請求項１乃至４のいずれか一項に記載の衣服。
【発明の詳細な説明】
【技術分野】
【０００１】
本発明は、衣服に係り、特に、着衣者が着用する衣服本体に安全帯を取り付けることで構成された衣服に関する。
【背景技術】
【０００２】
作業着に安全帯を縫い付ける等して安全帯と作業着とを一体化させることは、既に知られている。その一例としては、特許文献１に記載の衣服が挙げられる。特許文献１に記載の衣服は、背部において交差させて両肩に掛ける肩当て帯と、脚を挿入する環状の脚帯と、臀部に係止する臀掛け帯と、を一体に形成した安全帯に対し、作業服の上着表面であって着衣者の背上部及び背部の中下部等に対応する所要箇所に、肩掛け帯を挿通、離脱させるため面ファスナ等により開閉自在に形成した略ベルト通し状乃至は環状の支持部材を取り付けたものである。このような構成によれば、肩当て帯と脚帯と臀掛け帯とが一体化された安全帯（すなわち、フルハーネス型の安全帯）を効率的に着用することが可能となる。
【先行技術文献】
【特許文献】
【０００３】
【特許文献１】特開平１１−３１５４０６号公報
【発明の概要】
【発明が解決しようとする課題】
【０００４】
しかしながら、特許文献１に記載の衣服は、安全帯が取り付けられた上着であり、安全帯を装着するためには、環状の脚帯に足を挿入して臀掛け帯を臀部に係止させてから、上着を着る形になる。かかる手順にて着用しなければならない特許文献１に記載の衣服は、当該衣服を着慣れていない場合には着用に手間が掛かるものとなる。
【０００５】
そこで、本発明は、上記の課題に鑑みてなされたものであり、その目的とするところは、着用することにより、着衣者の上半身及び下半身のそれぞれに装着される部分を有する安全帯をより簡単に装着することが可能な衣服を提供することである。
【課題を解決するための手段】
【０００６】
前記課題は、本発明の衣服によれば、着衣者が着用する衣服本体と、着衣者の墜落を防止するために前記衣服本体に取り付けられた安全帯部と、を備える衣服であって、前記衣服本体は、着衣者の上半身に着用される上側着用部と、該上側着用部とは分離しており着衣者の下半身に着用される下側着用部と、を有しており、前記安全帯部は、前記上側着用部に取り付けられ、前記上側着用部が着用された際に着衣者の背部から腹部へ回り込むように着衣者の肩に掛けられる上側ベルト部と、前記下側着用部に取り付けられ、前記下側着用部が着用された際に着衣者の大腿部を包む下側ベルト部と、着衣者が前記上側着用部及び前記下側着用部を着用した状態にあるときに前記上側ベルト部と前記下側ベルト部とを連結させるための連結部と、を有することにより解決される。
【０００７】
上記のように構成された本発明の衣服では、互いに分離した上側着用部及び下側着用部を着用することにより、上側ベルト部及び下側ベルト部を装着することが可能となる。つまり、本発明の衣服では、上側ベルト部及び下側ベルト部の各々を個別に装着することが可能であり、各ベルト部の装着が容易になる。また、本発明の衣服では、着衣者が上側着用部及び下側着用部を着用した状態にあるときに、上側ベルト部と下側ベルト部とを連結部によって連結させる。これにより、上側ベルト部と下側ベルト部とを連結してフルハーネス型の安全帯を構成することが可能となる。以上のように本発明の衣服であれば、着用することにより、フルハーネス型の安全帯を簡単に装着することが可能となる。
【０００８】
上記の構成において、前記連結部は、前記上側ベルト部から延出した延出部分と、該延出部分の先端部に設けられた係合部と、前記下側着用部に設けられた被係合部と、を有し、前記係合部が前記被係合部に係合することで前記上側ベルト部と前記下側ベルト部とを連結すると、好適である。
上記の構成では、上側ベルト部から延出した延出部分の先端部にある係合部を、下側着用部に設けられた被係合部に係合することで、上側ベルト部と下側ベルト部とが連結する。このような構成であれば、上側ベルト部及び下側ベルト部を容易に連結することが可能となる。この結果、フルハーネス型の安全帯をより簡単に装着することが可能となる。
【０００９】
上記の構成において、前記上側着用部は、袖を有し、該袖に着衣者の腕を通すことで着衣者の上半身に着用され、前記下側着用部は、股部を有し、該股部に着衣者の脚を通すことで着衣者の下半身に着用され、前記上側ベルト部は、前記上側着用部の内側に取り付けられており、前記下側ベルト部は、前記下側着用部の内側に取り付けられていると、より好適である。
上記の構成では、上側ベルト部及び下側ベルト部の各々が衣服本体の内側に取り付けられている。したがって、衣服本体の外観は、通常の衣服の外観を呈するようになり、本発明の衣服の意匠（見た目）が向上する。
【００１０】
上記の構成において、前記安全帯部は、着衣者の墜落を防止するために設けられた掛留部が引っ掛けられる環状部を有し、該環状部は、前記上側着用部の後見頃に取り付けられていると、さらに好適である。
上記の構成では、上側着用部の後見頃に環状部が取り付けられているため、環状部に墜落防止用の掛留部（例えば、ランヤードのフック）を引っ掛け易くなる。
【００１１】
上記の構成において、前記上側ベルト部は、一対設けられており、前記安全帯部は、一対の前記上側ベルト部間を連絡する連絡ベルト部を有し、該連絡ベルト部は、該連絡ベルト部が有する二つのベルト端部を連結するバックル部を備え、該バックル部による連結状態を解除することで前記二つのベルト端部が分離すると、より一層好適である。
上記の構成では、一対の上側ベルト部と、その間を連絡する連絡ベルト部とによって着衣者の上半身を良好に保持することが可能となる。また、連絡ベルト部にはバックル部が設けられており、バックル部によって、連絡ベルト部が有する二つのベルト端部が連結されている。そして、上側着用部を着用する際にバックル部を操作して上記二つのベルト端部を分離させれば、連絡ベルト部によって上側着用部の着用が妨げられるのを回避することが可能となる。
【発明の効果】
【００１２】
本発明の衣服によれば、着用することにより、着衣者の上半身及び下半身のそれぞれに装着される部分を有する安全帯（フルハーネス型の安全帯）をより簡単に装着することが可能になる。
【図面の簡単な説明】
【００１３】
【図１】本発明の一実施形態に係る衣服を示す図である。
【図２】衣服の環状部に掛留部を引っ掛けた状態を示す図である。
【図３】本発明の一実施形態に係る衣服本体の上側着用部を前側から見た図である。
【図４】本発明の一実施形態に係る衣服本体の上側着用部を後側から見た図である。
【図５】本発明の一実施形態に係る上側着用部の前身頃の内側を示す図である。
【図６】本発明の一実施形態に係る上側着用部の後見頃の内側を示す図である。
【図７】本発明の一実施形態に係る衣服本体の下側着用部を前側から見た図である。
【図８】本発明の一実施形態に係る下側着用部の前身頃の内側を示す図である。
【図９】連結部によって上側ベルト部と下側ベルト部とが連結された状態を示す図である。
【発明を実施するための形態】
【００１４】
以下、本発明の一実施形態（以下、本実施形態）に係る衣服について図面を参照しながら説明する。なお、以下に説明する実施形態は、本発明の理解を容易にするための一例に過ぎず、本発明を限定するものではない。すなわち、本発明は、その趣旨を逸脱することなく、変更、改良され得る。また、当然ながら、本発明にはその等価物が含まれ得る。
【００１５】
また、以下において衣服各部の位置や状態、配向方向を説明する際には、着衣者が衣服を着用したケースを想定して説明することとする。また、以下の説明中、「左右方向」とは、衣服を着用した着衣者を正面から見たときの左右方向のことであり、「前後方向」とは、衣服を着用した着衣者にとっての前後方向のことである。また、「外側」とは、衣服において外に露出する側を意味しており、「内側」とは、衣服が着衣者に着用された際に着衣者の身体と向かい合う側を意味している。
【００１６】
また、以下では、衣服（厳密には、衣服本体）において着衣者の背部、腹部、胸部及び大腿部と対向する部分を、それぞれ、便宜的に「背部」、「腹部」、「胸部」及び「大腿部」と呼ぶこととする。
【００１７】
本実施形態の衣服（以下、衣服Ｘ）は、作業着として用いられ、高所作業を実施する着衣者（作業者）によって着用される。衣服Ｘは、図１に示すように、上下一組の着用部からなる衣服本体１に、フルハーネス型の安全帯に準拠した構造の安全帯部１０を一体化することで構成されている。図１は、衣服Ｘを示す図であり、衣服Ｘを着用した着衣者を正面から見た図である。
【００１８】
衣服Ｘは、着衣者が衣服本体１を着用することにより、フルハーネス型の安全帯と同様の構造の安全帯部１０を着衣者の身体に装着させることが可能な構造となっている。つまり、着衣者は、衣服本体１を着用すると同時に安全帯部１０を装着することが可能である。
【００１９】
また、衣服Ｘを着用した着衣者は、高所作業を実施するにあたり、図２に示すように衣服Ｘの背部に設けられた環状部１７に、ランヤードＲのフック部Ｒａ（掛留部に相当）を引っ掛ける。ランヤードＲの末端部（フック部Ｒａとは反対側の端部）は、不図示の足場や親綱に締結されている。これにより、衣服Ｘの着衣者が高所作業中に墜落するのを防止することが可能となる。なお、図２は、衣服Ｘの環状部１７にランヤードＲのフック部Ｒａを引っ掛けた状態を示す図である。
【００２０】
衣服Ｘ各部の構成について既出の図１及び図３〜図９を参照しながら説明する。図３は、衣服本体１の上側着用部２を前側から見た図であり、図４は、上側着用部２を後側から見た図である。図５は、上側着用部２の前身頃２ｂの内側を示す図であり、図６は、上側着用部２の後見頃２ｃの内側を示す図である。図７は、衣服本体１の下側着用部５を前側から見た図である。図８は、下側着用部５の前身頃５ｂの内側を示す図である。図９は、連結部２０によって上側ベルト部１１と下側ベルト部１６とが連結された状態を示す図である。なお、図９では、安全帯部１０を実線にて図示し、それ以外（具体的には衣服本体１）を破線にて図示している。
【００２１】
衣服本体１は、着衣者が着用する部分であり、ジャケット型の上側着用部２と、ズボン型の下側着用部５とを有する。上側着用部２は、図３及び図４に示すよう左右一対の袖２ａを備え、それぞれの袖２ａに着衣者の腕を通すことで着衣者の上半身に着用される。本実施形態の上側着用部２は、前身頃２ｂの左右中央部に設けられたファスナを開閉することで前開き状態（展開状態）と前閉じ状態（使用状態）との間で状態を切り替えることが可能である。
【００２２】
上側着用部２の前身頃２ｂの外側には、図３に示すように、胸部及び腹部の各々に保持リング４が左右対称に設けられている。保持リング４は、着衣者が所持する道具（例えば、ランヤードＲ、ヘルメット及び工具入れ袋）を上側着用部２に吊るした状態で保持しておくための環状の金具である。なお、本実施形態において、各保持リング４は、上側着用部２の前身頃２ｂに縫い付けられた袋状の帯体に通されることで上側着用部２に取り付けられている。
【００２３】
また、上側着用部２の後見頃２ｃの外側には、図４に示すように、前述の環状部１７が取り付けられている。環状部１７は、着衣者の墜落を防止するために設けられたランヤードＲのフック部Ｒａ（掛留部）が引っ掛けられる金具である。なお、本実施形態において、環状部１７は、上側着用部２の後見頃２ｃの背部に縫い付けられた布体に筒状部分を設け、当該筒状部分に通されることで上側着用部２に取り付けられている。
【００２４】
下側着用部５は、図７に示すように股部５ａを備え、股部５ａに着衣者の脚を通すことで（すなわち、穿くことで）着衣者の下半身に着用される。また、下側着用部５は、上側着用部２とは分離している。したがって、衣服本体１を着用する際には、上側着用部２及び下側着用部５を別々に着用することになる。
【００２５】
また、下側着用部５の前身頃５ｂの外側には、後述する連結部２０の被係合部２３が左右一対の各々の大腿部に取り付けられている。この被係合部２３は、環状（厳密には、Ｄ字状）の金具であり、下側着用部５の前身頃５ｂに縫い付けられた袋状の帯体に通されることで下側着用部５に取り付けられている。
【００２６】
安全帯部１０は、衣服Ｘの着衣者の墜落を防止するために衣服本体１に取り付けられたものであり、前述したように、衣服本体１と一体化している。また、安全帯部１０は、フルハーネス型の安全帯と同様の構成となっており、図１に示すように、着衣者の上半身に装着される部分と、着衣者の下半身に装着される部分と、これらの部分を連結する連結部２０と、を有する。
【００２７】
安全帯部１０のうち、着衣者の上半身に装着される部分は、図５及び図６に示すように、左右一対の上側ベルト部１１と、上下一対の連絡ベルト部１２とを有する。
左右一対の上側ベルト部１１は、上側着用部２に取り付けられ、上側着用部２が着用された際（厳密には、上側着用部２の袖２ａに着衣者の腕が通された際）に着衣者の背部から腹部へ回り込むように着衣者の肩に掛けられるベルト体である。
【００２８】
より詳しく説明すると、上側ベルト部１１は、左右方向において一対設けられている。各上側ベルト部１１は、図５及び図６に示すように、上側着用部２の前身頃２ｂから後見頃２ｃに亘って上側着用部２の内側に縫い付けられている。上側ベルト部１１のうち、上側着用部２の前身頃２ｂに縫い付けられている部分は、図５に示すように、上側着用部２の上端（襟元）から下端まで略真っ直ぐ延出している。上側ベルト部１１のうち、上側着用部２の後見頃２ｃに縫い付けられている部分は、図６に示すように、上側着用部２の上端（肩部の上端）から下端に向かって斜めに延出して、襷掛け状に交差している。なお、上側着用部２の後見頃２ｃにおいて上側ベルト部１１同士が交差している部分は、上側着用部２の背部中央部に取り付けられたベルト通し部材１８に通されている。
【００２９】
また、上側着用部２の後見頃２ｃに縫い付けられた上側ベルト部１１の各々は、ベルト通し部材１８よりも下方に延出し、その先端部（下端部）が下側の連絡ベルト部１２に縫い付けられて固定されている。より厳密に説明すると、上側着用部２の後見頃２ｃに縫い付けられた各上側ベルト部１１の下端部は、下側の連絡ベルト部１２の後面に当接すると共に、図６に示すように、下側の連絡ベルト部１２の下端位置で折り曲げられ下側の連絡ベルト部１２の前側に回り込んでいる。かかる状態で、上側着用部２の後見頃２ｃに縫い付けられた各上側ベルト部１１の下端部が下側の連絡ベルト部１２に縫合されている。
【００３０】
また、上側着用部２の前身頃２ｂに縫い付けられた各上側ベルト部１１の下端部には、図５に示すように、上側ベルト部１１の下端部から延出した延出部分２１が縫い付けられている。この延出部分２１は、上側ベルト部１１と同じ材質のベルト体からなり、上側ベルト部１１と同様、左右一対設けられている。なお、本実施形態において、延出部分２１は、図５及び図６に示すように、延出部分２１の先端部が上側着用部２の下端から十分に突出する程度に延出している。
【００３１】
また、延出部分２１の先端部（上側ベルト部１１に縫い付けられている側とは反対側の端部）には、リング状の係合部２２が取り付けられている。この係合部２２は、カラビナ等の可動部付き金具からなり、通常時には環状をなしているが、可動部を動かすと可動部とそれ以外の部分が分離して隙間が形成されることで他の部材（具体的には、環状をなす他の部材）に引っ掛けることが可能である。なお、本実施形態において、係合部２２は、延出部分２１の先端部を袋状に折り曲げた状態で延出部分２１の重なり部分を縫い合わせ、袋状となった延出部分２１の先端部に通されることで延出部分２１に取り付けられている。
【００３２】
上下一対の連絡ベルト部１２の各々は、着衣者の前方位置で、左右一対の上側ベルト部１１の間を連絡するベルト体である。より上方の連絡ベルト部１２（以下、上側の連絡ベルト部１２）は、図１に示すように、着衣者の胸部の前方位置で上側ベルト部１１間を連結している。より下方の連絡ベルト部１２（以下、上側の連絡ベルト部１２）は、図１に示すように、着衣者の腹部の前方位置で上側ベルト部１１間を連絡している。
【００３３】
上側の連絡ベルト部１２は、左右一対の上側ベルト部１１の間に位置している。具体的に説明すると、上側の連絡ベルト部１２の一端が一方の上側ベルト部１１に縫合されており、他端がもう一方の上側ベルト部１１に縫合されている。また、上側の連絡ベルト部１２の左右中央部分には、分割可能なバックル部１５が設けられている。このバックル部１５は、ワンタッチで分割可能な公知の差し込み式のプラスチックバックルであり、二つの断片（分割断片）によって構成されている。
【００３４】
また、バックル部１５には、上側の連絡ベルト部１２が左右中央部に有する二つのベルト端部１３，１４（上側ベルト部１１に縫合されている側とは反対側の端部）が取り付けられている。厳密には、バックル部１５を構成する二つの分割断片のうちの一方に一つのベルト端部１３が取り付けられており、他方にもう一つのベルト端部１４が取り付けられている。
以上のように構成された上側の連絡ベルト部１２において、バックル部１５を分割すると、上記二つのベルト端部１３，１４の連結状態が解除され、ベルト端部１３，１４同士が互いに分離するようになる。反対に、分離したバックル部１５の断片同士を結合させると、二つのベルト端部１３，１４が連結し、上側の連絡ベルト部１２が上側ベルト部１１の間を連絡するようになる。
【００３５】
下側の連絡ベルト部１２は、左右一対の上側ベルト部１１の間を連絡すると共に、着衣者が上側着用部２を着用した際に着座者の腹部を包む。すなわち、下側の連絡ベルト部１２は、連絡ベルト部１２本来の機能と共に、胴ベルトとしての機能をも備えている。下側の連絡ベルト部１２は、上側着用部２の前身頃２ｂ及び後見頃２ｃの双方に縫合されている。より厳密に説明すると、下側の連絡ベルト部１２が有する二つのベルト端部１３，１４が上側着用部２の前身頃２ｂの左右中央部に配置されており、ベルト端部１３，１４間に位置する部分は、前身頃２ｂから後見頃２ｃに回り込み、その後に後見頃２ｃから前身頃２ｂに再び戻るように周回している。
【００３６】
また、下側の連絡ベルト部１２の左右中央部には、バックル部１５が設けられており、このバックル部１５に、下側の連絡ベルト部１２が有する二つのベルト端部１３，１４が取り付けられている。下側の連絡ベルト部１２に設けられたバックル部１５は、一般的なベルトバックルからなり、バックル本体と、バックル本体に差し込まれる差し込み部と、によって構成されている。そして、バックル本体に一つのベルト端部１３が取り付けられており、差し込み部にもう一つのベルト端部１４が取り付けられている。
以上のように構成された下側の連絡ベルト部１２において、バックル本体から差し込み部を抜き出すと、バックル部１５による連結状態が解除され、上記二つのベルト端部１３，１４が互いに分離するようになる。反対に、バックル本体に差し込み部が差し込まれた状態では、二つのベルト端部１３，１４が連結し、下側の連絡ベルト部１２が上側ベルト部１１の間を連絡するようになる。
【００３７】
安全帯部１０のうち、着衣者の下半身に装着される部分は、図８に示すように、左右一対の下側ベルト部１６を有する。左右一対の下側ベルト部１６は、下側着用部５の股部５ａに取り付けられ、下側着用部５が着用された際（具体的には、股部５ａに着衣者の脚が通された際）に着衣者の大腿部を包み込む。より詳しく説明すると、下側ベルト部１６は、左右方向において一対設けられている。各下側ベルト部１６は、一本のベルト体からなり、下側着用部５の前身頃５ｂから後見頃５ｃに亘って下側着用部５の内側に縫い付けられている。つまり、下側ベルト部１６は、下側着用部５の前身頃５ｂから後見頃５ｃに回り込み、その後に後見頃５ｃから前身頃５ｂに再び戻るように周回している。
なお、下側着用部５において、下側ベルト部１６は、股部５ａの股下部よりも若干下方位置に縫い付けられているのが望ましい。
【００３８】
また、下側着用部５の前身頃５ｂの内側表面のうち、被係合部２３が取り付けられている部分の裏側に位置する部分には、図８に示すように、上下に幾分延出している補強ベルト１９が縫い付けられている。この補強ベルト１９は、下側着用部５のうち、被係合部２３が取り付けられている部分の強度を向上させるために設けられており、下側ベルト部１６と同じ材質のベルト体にて構成されている。また、補強ベルト１９の下端部は、図８に示すように下側ベルト部１６に重ねられた状態で下側ベルト部１６に縫い付けられている。これにより、被係合部２３に掛かる力（厳密には、係合部２２が被係合部２３に係合した状態で被係合部２３に掛かる力）を、補強ベルト１９を通じて下側ベルト部１６へ分散させることが可能となる。
【００３９】
安全帯部１０が有する連結部２０について説明すると、連結部２０は、着衣者が上側着用部２及び下側着用部５を着用した状態にあるときに上側ベルト部１１と下側ベルト部１６とを連結させるためのものである。連結部２０は、図９に示すように、延出部分２１と係合部２２と被係合部２３とを有する。延出部分２１は、上側着用部２に縫い付けられた左右一対の上側ベルト部１１の各々から延出している。係合部２２は、延出部分２１の先端部に設けられており、被係合部２３に係合可能な環状金物である。被係合部２３は、下側着用部５における左右一対の大腿部にそれぞれ設けられるように、下側着用部５の外側表面（具体的には、下側着用部５の前身頃５ｂの外側表面）に取り付けられている。
【００４０】
以上のように構成された連結部２０は、着衣者が上側着用部２及び下側着用部５を着用した後に操作されることで、左右一対の上側ベルト部１１の各々と左右一対の下側ベルト部１６の各々とを連結する。具体的に説明すると、図９に示すように、各延出部分２１の先端部に設けられた係合部２２を左右一対の被係合部２３のうち、対応する被係合部２３（より近い方の被係合部２３）に引っ掛けて係合する。これにより、連結部２０が左右一対の上側ベルト部１１の各々と左右一対の下側ベルト部１６の各々とを連結するようになる。このように上側ベルト部１１と下側ベルト部１６が連結した結果、安全帯部１０が、上下に分離された状態から一つの機器としてまとまった状態となり、フルハーネス型の安全帯と同様の機能を発揮するようになる。
【００４１】
以上のように本実施形態では、ジャケット型の上側着用部２及びズボン型の下側着用部５をそれぞれ着用することで、着衣者は、上側ベルト部１１及び下側ベルト部１６を装着することが可能である。また、着衣者は、上側着用部２及び下側着用部５を着用した後、前述した手順により上側ベルト部１１と下側ベルト部１６とを連結部２０によって連結させる。これにより、それまで分離していた上側ベルト部１１及び下側ベルト部１６が連結して一つの安全帯部１０を構成し、フルハーネス型の安全帯と同様の機能を発揮するようになる。このような構成により、本実施形態の衣服Ｘによれば、従来のフルハーネス型の安全帯に比べ、それと同様の構造の安全帯部１０をより簡単に装着することが可能となる。
【００４２】
また、反対に、本実施形態の衣服Ｘによれば、従来のフルハーネス型の安全帯に比べ、それと同様の構造の安全帯部１０をより簡単に取り外すことが可能である。具体的に説明すると、連結部２０の係合部２２を被係合部２３から外して上側ベルト部１１と下側ベルト部１６との連結状態を解除した後、上側着用部２及び下側着用部５を脱ぐことにより、安全帯部１０を取り外すことが可能となる。なお、このとき、上側着用部２及び下側着用部５のうちのいずれか一方を脱ぐことも可能である。すなわち、安全帯部１０のうち、脱いだ着用部に取り付けられている部分のみを取り外すことが可能である。
【００４３】
また、本実施形態において、安全帯部１０のうち、衣服本体１に縫い付けられている部分（具体的には、上側ベルト部１１、下側のバックル部１５、及び下側ベルト部１６）は、衣服本体１の内側に縫い付けられている。このため、衣服Ｘは、通常の作業着と同様の外観を呈しており、良好な見た目（意匠）をなしている。
【００４４】
また、安全帯部１０各部を構成するベルト体の材質については、特に制限されるものではないが、例えば、乗物等に使用されるシートベルトのウェビングと同様の材質（具体的には、引張り強度に優れたポリエステル繊維）を用いると良い。かかる材質のベルト体であれば、比較的に軽量で薄厚であり、しなやかで肌に馴染む一方で、十分な強度を有する。このため、上記材質のベルト体で安全帯部１０を構成すれば、当該安全帯部１０が安全帯としての機能を適切に発揮するようになる。
また、廃棄された乗物に搭載されたシートベルトのウェビングの端材を安全帯部１０の材料として利用すれば、環境面でも好適である。
【符号の説明】
【００４５】
１  衣服本体
２  上側着用部
２ａ  袖
２ｂ  前身頃
２ｃ  後見頃
３  スリット孔
４  保持リング
５  下側着用部
５ａ  股部
５ｂ  前身頃
５ｃ  後見頃
６  袋状部
１０  安全帯部
１１  上側ベルト部
１２  連絡ベルト部
１３，１４  ベルト端部
１５  バックル部
１６  下側ベルト部
１７  環状部
１８  ベルト通し部材
１９  補強ベルト
２０  連結部
２１  延出部分
２２  係合部
２３  被係合部
Ｒ  ランヤード
Ｒａ  フック部（掛留部）
Ｘ  衣服
【図１】
2019065416.tif 000003
【図２】
2019065416.tif 000004
【図３】
2019065416.tif 000005
【図４】
2019065416.tif 000006
【図５】
2019065416.tif 000007
【図６】
2019065416.tif 000008
【図７】
2019065416.tif 000009
【図８】
2019065416.tif 000010
【図９】
2019065416.tif 000011